(57)【特許請求の範囲】
【請求項１】
溝底壁と両側壁とで形成される、開口部が幅狭のシート定着用溝が中間連結片の両側に二つ形成され、且つ前記二つのシート定着用溝が長手方向に２本平行するように一体形成されたダブル型シート定着用溝形材の接続構造において、
前記シート定着用溝形材の一端部は、二つのシート定着用溝を隔てる中間連結片の側壁から溝底壁の一部までが前記中間連結片と共に、先端部から差し込み接続に必要とされる長さ範囲までほぼ垂直に切断されており、
前記の長さ範囲に残存する外側の溝側壁とカール部及び溝底壁の横断面形状が、正規の横断面形状から少なくとも肉厚分だけ小さく絞られて雄ジョイント部が形成されており、この雄ジョイント部が、当該シート定着用溝形材を単純に切断して正規の横断面形状をもつ隣接のシート定着用溝形材の雌ジョイント部の内側へ差し込まれ突き合わせ接続可能に構成されていることを特徴とする、ダブル型シート定着用溝形材の接続構造。
【請求項２】
雄ジョイント部の溝底壁、溝側壁及びカール部の先端部は、先細状に絞られた誘導部に形成されていることを特徴とする、請求項１に記載したダブル型シート定着用溝形材の接続構造。
【発明の詳細な説明】
【技術分野】
【０００１】
この発明は、温室を覆う膜材であるビニルシートやポリオレフィンシート等（以下、単にシートと云う。）を骨組み材へ止着するためのシート定着用溝形材、特にシート定着用溝が２本平行して一体形成されたダブル型シート定着用溝形材を、長手方向に一連に突き合わせて接続でき、長尺材として使用する接続構造の技術分野に属し、更に云うと、シート定着用溝形材の一端部を絞り加工して雄ジョイント部に成形したダブル型シート定着用溝形材の接続構造に関する。
【背景技術】
【０００２】
従来、所謂ビニルハウスの構築に際し、被覆材であるシートをハウス骨組み材へ止着する手段として、ビニルハウスの骨組に設置される、開口部が幅狭のシート定着用溝を有するシート定着用溝形材が広く知られ実用に供されている。
通例のシート定着用溝形材は、シート定着用溝が一つのシングルタイプであるが、近年、側面や屋根面に空気層を設けるためにシートを二重張りにしたり、シートの上面に遮光ネットシート及び／又は防虫ネットを張るなど、複数のシート材を重複して張る必要性が高くなり、二つのシート止着用溝を連結片により長手方向に２本平行するように一体形成したダブル型シート定着用溝形材も多く使用されている。
【０００３】
いずれのシート定着用溝形材であれ、トラック輸送では長尺物の輸送が敬遠される関係上、２ｍ〜６ｍ程度の長さに定寸切断したシート定着用溝形材が多く市販されている。ビニルハウスの棟の長さは通例５０ｍとか１００ｍなので、前記定尺物のシート定着用溝形材は、長手方向に一連に突き合わせ接続して必要な長さとした上で使用されるのが普通で、現場におけるシート定着用溝形材の接続作業の重要性が増している。
【０００４】
上記シート定着用溝形材の接続構造としては、下記の特許文献１に、シート定着用溝の一端部を絞り加工して本来の横断面形状の肉厚分だけ縮小した雄ジョイント部を形成し、他のシート定着用溝形材の本来形状の端部の内側へ差し込み突き合わせ接続することを可能にした接続技術が記載されている。
【０００５】
また、ダブル型シート定着用溝形材についても、その接続構造として、下記の特許文献２には、図８Ａ、Ｂに示すように、ダブル型シート定着用溝形材７０の一端部に、端部から接続に必要な長さ範囲にわたり、２本のシート定着用溝７１、７１の横断面形状が本来の横断面形状の肉厚分だけ小さい形状に絞り加工された雄ジョイント部Ｊが形成された接続構造が開示されている。
【特許文献１】実用新案登録第３０３５１４２号公報
【特許文献２】意匠登録第１０９５３３９号公報
【発明の開示】
【発明が解決しようとする課題】
【０００６】
上述した特許文献１及び特許文献２は、いずれも本出願人の提案に係るもので、雄ジョイント部のシート定着用溝と、接続される他のシート定着用溝形材のシート定着用溝が略同形の横断面形状で、接続部において内外二重にぴったり密着した状態で重なり合い、互いを拘束し合うので、接続の強度及び剛性が十分に大きいし、シート定着用溝が連続するので、シートの止着構造も連続する。その上、前記接続部の横断面外形は、本来のシート定着用溝形材の横断面形状そのものであるから、接続部の外側にパイプジョイント等の在来部品類を使用することに一切支障がないという利点がある。
【０００７】
しかしながら、上記の接続構造は、シングルタイプのシート定着用溝形材の場合は容易に実施（製造）できるが、上記特許文献２に示した、シート定着用溝が２本平行に一体化されたダブル型シート定着用溝形材の場合は、実施（製造）に技術上の問題点がある。
【０００８】
即ち、ダブル型シート定着用溝形材の一端部を図８Ａ、Ｂに示すような雄ジョイント部Ｊに成形する方法としては、いわゆるロールフォーミング加工法で無限長に連続して生産されるダブル型シート定着用溝形材７０は、とりあえず運搬に適した長さに単純切断し、その上で、別途用意したプレス成形機を使用して、図８Ｂに示すように、シート定着用溝７１の両内側の側壁７４を両外側の側壁７５と同様に絞り加工するべく、先ず連結片７２を、二つの溝底壁７３、７３の外径部間の幅寸Ｗだけ切断し、残存する連結片を内側へ折り返してカール部７４ａ（点線部）を成形し、且つ絞り加工を行うほかない。したがって、上記ダブル型シート定着溝形材の接続構造を実現するには、単純切断と、絞り加工の二種類の金型を用意し、二つの作業工程で行うほかない。その故に要する人員も増え、設備投資費用や人件費等が相当に嵩み、シート定着用溝形材一本当たりの単価が当然高くなる。現在、シート定着用溝形材の市場は、メートル単位での価格競争が激しく行われていることから、上記製造方法を実施（製造）することは市場経済の面から排斥され、もっと製造が容易で安価な接続構造が要望されている。
【０００９】
本発明の目的は、ダブル型シート定着用溝形材の定寸切断と絞り加工による雄ジョイント部の成形をワンプレス工程で安価に迅速に行える接続構造を提供することであり、生産効率に優れ、更に接続作業やシート定着作業等を簡便に行えるダブル型シート定着用溝形材の接続構造を提供することにある。
【課題を解決するための手段】
【００１０】
上記した背景技術の課題を解決するための手段として、請求項１に記載した発明に係るダブル型シート定着用溝形材は、
溝底壁３と両側壁４、４とで形成される、開口部が幅狭のシート定着用溝２が中間連結片５の両側に二つ形成され、且つ前記二つのシート定着用溝２、２が長手方向に２本平行するように一体形成されたダブル型シート定着用溝形材１の接続構造において、
前記シート定着用溝形材１の一端部は、二つのシート定着用溝２、２を隔てる中間連結片５の側壁４から溝底壁３の一部までが前記中間連結片５と共に、先端部から差し込み接続に必要とされる長さ範囲Ｌまでほぼ垂直に切断されており、
前記長さ範囲Ｌに残存する外側の溝側壁４とカール部４ａ及び溝底壁３の横断面形状が、正規の横断面形状から少なくとも肉厚分だけ小さく絞られて雄ジョイント部６が形成されており、この雄ジョイント部６が、当該シート定着用溝形材１を単純に切断して正規の横断面形状をもつ隣接のシート定着用溝形材１の雌ジョイント部１ａの内側へ差し込まれ突き合わせ接続可能に構成されていることを特徴とする。
【００１１】
請求項２記載した発明は、請求項１に記載しダブル型シート定着用溝形材において、
雄ジョイント部６の溝底壁３、溝側壁４及びカール部４ａの先端部は、先細状に絞られた誘導部７に形成されていることを特徴とする。
【発明の効果】
【００１２】
請求項１又は２に記載した発明に係るダブル型シート定着用溝形材の接続構造は、ダブル型シート定着用溝形材１の一端部において、内側の側壁４から溝底壁３の一部までを中間連結片５と共に、先端部から差し込み接続に必要とされる長さ範囲Ｌまで切断し、前記の長さ範囲Ｌに残存する外側の溝側壁４とカール部４ａ及び溝底壁３の横断面形状を、正規の横断面形状から肉厚分相当だけ小さく絞り加工した雄ジョイント部６を使用する構造としたので、同雄ジョイント部６の成形加工は、ロールフォーミング加工法で無限長に曲げ成形したダブル型シート定着用溝形材１の定寸切断と絞り加工による雄ジョイント部６の成形までをワンプレス工程で行える。したがって、現状の製造速度による成形加工を行うことができ、生産性に優れるほか、ワンプレス工程の金型で成形できるので、結果として安価なシート定着用溝形材を提供できる。
のみならず、シート定着用溝形材同士の接続作業に至便で使い勝手が非常に良い。
【００１３】
更に、シート定着用溝の内側の側壁４と溝底壁３の一部は切断して存在しなくなるので、接続箇所におけるシート定着用溝２内のふところが広くなり、複数枚のシート材をシート止め材により止着することが容易になる。
【発明を実施するための最良の形態】
【００１４】
溝底壁３と両側壁４、４とで形成される、開口部が幅狭のシート定着用溝２が中間連結片５の両側に二つ形成され、且つ前記二つのシート定着用溝２、２が長手方向に２本平行するように一体形成されたダブル型シート定着用溝形材１の接続構造である。
前記シート定着用溝形材１の一端部は、二つのシート定着用溝２、２を隔てる中間連結片５の側壁４から溝底壁３の一部までが前記中間連結片５と共に、先端部から差し込み接続に必要とされる長さ範囲Ｌまでほぼ垂直に切断されている。
前記長さ範囲Ｌに残存する外側の溝側壁４とカール部４ａ及び溝底壁３の横断面形状が、正規の横断面形状から少なくとも肉厚分だけ小さく絞られて雄ジョイント部６が形成されており、この雄ジョイント部６が、当該シート定着用溝形材１を単純に切断して正規の横断面形状をもつ隣接のシート定着用溝形材１の雌ジョイント部１ａの内側へ差し込まれ突き合わせ接続可能に構成されている。
【実施例１】
【００１５】
本発明に係るダブル型シート定着用溝形材の接続構造を、図面に示した実施例に基づいて説明する。
図１は、長手方向に一連に接続するべき２本のダブル型シート定着用溝形材１、１を接続する直前の状態で示している。
このダブル型シート定着用溝形材１の構成は既に周知の通り、溝底壁３と両側壁４、４で形成する開口部が横断面が幅狭のシート定着用溝２を有し、二つのシート定着用溝２が中間連結片５によって長手方向に２本平行するように一体形成されている。前記両側壁４、４の上端は外向きに折り返したカール部４ａ、４ａに構成されており、両内側の側壁４の上端部同士が中間連結片５により連結されている。
【００１６】
前記ダブル型シート定着用溝形材１は使用上に適切な長さに定寸断されており、その一端部は、単純切断しただけで、本来の横断面形状（図５の外側部分の形状）を有する雌ジョイント部１ａとされている。
同ダブル型シート定着用溝形材１の他端部は、図１と図３Ａ、Ｂに詳示するように、二つのシート定着用溝２を形成する内側の側壁４及び溝底壁３の一部が、中間連結片５と共に、端部から突き合わせ接続に必要とされる長さ範囲Ｌ（約３０〜５０ｍｍ位）にわたり、前記中間連結片５の外幅位置即ち、中間連結片５の両端から側壁４へと変化する湾曲外面から真下に引いた垂線Ｙ、Ｙ間の幅Ｗが垂直に切断されている。
【００１７】
そして、前記長さ範囲Ｌに残存する両外側の側壁４とカール部４ａ及び溝底壁３の横断面形状が、本来の横断面形状から少なくとも肉厚分相当だけ絞られて小断面に形成されている。
更に、シート定着用溝２の外側の側壁４のカール部４ａは接続に支障がないよう若干押し潰された形状に絞り加工されて雄ジョイント部６が形成されている。
上記の通り、本発明の接続構造を構成する雄ジョイント部６は、シート定着用溝２の両内側の側壁４と溝底壁３の一部を中間連結片５と共に垂線Ｙ−Ｙ間の幅Ｗ部分だけ切断するから、上下のプレス金型は垂直な単純動作で切断化工（シャーリング）を行える。したがって、ロールフォーミング加工法で無限長に曲げ成形したダブル型シート定着用溝形材１を、運搬に適した２ｍ〜６ｍの長さに定尺切断すると同時に、前記内側の側壁４と溝底壁３の一部及び中間連結片５の切断並びに外側の側壁４及びカール部４ａの絞り加工とを所謂ワンプレス工程で加工でき雄ジョイント部６を成形できる。
【００１８】
上記のように成形された雄ジョイント部６を有するダブル型シート定着用溝形材１は、一方の雄ジョイント部６を他方の雌ジョイント部１ａの内側へ差し込むことにより、図４のように一連の構造に接続できる。両溝形材１、１の接続部は二つのシート定着用溝２、２の外側の側壁と溝底壁とが内外二重に密着した状態で重なり合い一連に強固に接続される。その際、図５に示すように、絞り加工された雄ジョイント部６の側壁４’の外側のカール部４ａ’、４ａ’は本来の形状のカール部４ａ、４ａの内側に入り込んで同溝２内へ拘束され、前記重なり合う接続部の雄ジョイント部６の内側の側壁４’と溝底壁３の一部は切断されて存在しないため、その肉厚分だけシート定着用溝２内のふところが広くなり、シート止め材が止め易くなる。
【００１９】
本実施例のダブル型シート定着用溝形材１は、１本のダブル型シート定着用溝形材１の一端部に雄ジョイント部６を形成し、他端部は単に切断しただけの雌ジョイント部１ａに形成して実施するのが通例であるが、この限りではない。１本のダブル型シート定着用溝形材１の両端部を前記雄ジョイント部６、６に形成し、別異のダブル型シート定着用溝形材１の両端部は単に切断しただけの雌ジョイント部１ａ、１ａに形成し、両タイプの溝形材１、１を組み合わせて接続する方法も実施可能である。
【００２０】
なお、上記雄ジョイント部６における溝底壁３、溝側壁４及びカール部４ａの先端部は、雌ジョイント部１ａへの差し込みを容易にするため前方へ細まるように強く絞られた誘導部７（図３Ａの点線に示す）に形成した構成で実施することも好ましい。斯くすると、一連に接続するべき差し込み作業に便利である。
【００２１】
本発明が実施されるダブル型シート定着用溝形材１のシート定着用溝２の形状、構造は、図１〜図５に示した限りではない。例えば、図６Ａ、Ｂに示したように深型のダブル型シート定着用溝形材１０の一端部を端部から接続に必要な長さ範囲にわたり、上述したと同様の構造に絞り加工をして雄ジョイント部６０を形成し、接続するべき同形状のダブル型シート定着溝形材１０の雌ジョイント部１０ａ内へ差し入れて接続する構成でも実施可能である。また、図７に示すように、図６Ａ、Ｂと略同形であり、その側壁が内側へ若干傾斜した横断面形状とされたダブル型シート定着用溝形状１１に同様に実施することも好適に実施される。
【００２２】
以上に本発明の実施例を説明したが、本発明はこうした実施例に何ら限定されるものではなく、本発明の要旨を逸脱しない範囲において、種々の形態で実施し得る。
【図面の簡単な説明】
【００２３】
【図１】本発明に係るダブル型シート定着用溝形材の接続構造を接続直前の分離状態で示した斜視図である。
【図２】図１のＩ−Ｉ線矢視の断面図である。
【図３】Ａは、接続部分を示す平面図である。ＢはＡの横側面図である。
【図４】接続状態を示した斜視図である。
【図５】図４のＩＩ−ＩＩ線矢視の断面図である。
【図６】Ａは、異なる形状のダブル型シート定着用溝形材の接続構造を接続直前の分離状態で示した斜視図である。ＢはＡの横断面形状を示した図である。
【図７】Ａは、異なる形状のダブル型シート定着用溝形材の接続構造を接続直前の分離状態で示した斜視図である。ＢはＡの横断面形状を示した図である。
【図８】Ａ、Ｂは、従来例を示した参考図である。
【符号の説明】
【００２４】
１        ダブル型シート定着用溝形材
２        シート定着用溝
３        溝底壁
４        側壁
４ａ      カール部
５        中間連結片
６        雄ジョイント部
７        誘導部
【図１】
0004972528.tif 000002
【図２】
0004972528.tif 000003
【図３】
0004972528.tif 000004
【図４】
0004972528.tif 000005
【図５】
0004972528.tif 000006
【図６】
0004972528.tif 000007
【図７】
0004972528.tif 000008
【図８】
0004972528.tif 000009